(57)【特許請求の範囲】
【請求項１】
金銭挿入口から挿入された金銭を内部に収容し、または内部に収容された金銭を金銭排出口から排出することによって物品の販売またはサービス料金の精算に係る金銭の受け渡しを自動的に行う金銭処理機であって、
前記金銭挿入口および前記金銭排出口を備えた筐体と、
前記筐体に設けられ、閉時に前記筐体の内部と外部との間を遮断し、開時に前記筐体の内部と外部との間を連通させる複数の扉と、
前記筐体内の所定の位置にそれぞれ配置され、前記金銭をそれぞれ収容する複数の金銭収容装置と、
表示画面を有する表示装置と、
画像を生成し、当該画像を前記表示装置の表示画面に表示させる表示制御手段と、
一般利用者との間で物品の販売またはサービス料金の精算に係る金銭の受け渡しを行うための一般利用モードと、管理者が管理作業を行うための管理モードとを切り換えるモード切換手段とを備え、
前記表示制御手段は、
前記管理モード時に、前記筐体内における前記複数の金銭収容装置間の相対的な位置関係を示す案内画像を生成し、当該案内画像を前記表示装置の表示画面に表示させ、
前記複数の扉のうちの一の扉が開き他の扉が閉じているときに、前記案内画像において、前記複数の金銭収容装置のうち、前記一の扉が開いた状態で操作することができる位置に配置されている金銭収容装置の位置を示す画像と、他の金銭収容装置の位置を示す画像との表示態様を相互に異ならせることを特徴とする金銭処理機。
【請求項２】
前記表示制御手段は、前記複数の扉のうちの一の扉が開き他の扉が閉じているときに、前記案内画像において、前記複数の金銭収容装置のうち、前記一の扉が開いた状態で操作することができる位置に配置されている金銭収容装置の位置を示す画像と、他の金銭収容装置の位置を示す画像との鮮明さ、色合いまたは色の明度を相互に異ならせることを特徴とする請求項１に記載の金銭処理機。
【請求項３】
前記複数の金銭収容装置のうちの少なくとも１つは、閉時に当該金銭収容装置の内部と外部との間を遮断し、開時に当該金銭収容装置の内部と外部との間を連通させる扉を有する扉付き金銭収容装置であり、
前記表示制御手段は、前記扉付き金銭収容装置の扉が閉じているときと開いているときとで、前記案内画像において当該扉付き金銭収容装置の位置を示す画像の表示態様を変化させることを特徴とする請求項１または２に記載の金銭処理機。
【請求項４】
前記表示制御手段は、前記扉付き金銭収容装置の扉が閉じているときと開いているときとで、前記案内画像において当該扉付き金銭収容装置の位置を示す画像の鮮明さ、色合いまたは色の明度を変化させることを特徴とする請求項３に記載の金銭処理機。
【請求項５】
前記複数の金銭収容装置のうちの少なくとも１つは、複数種類の金銭を当該種類ごとに分けて収容する複数の収容部を有し、
前記表示制御手段は、前記各収容部に収容される金銭の種類および前記複数の収容部間の相対的な位置関係を示す案内画像を生成し、当該案内画像を前記表示装置の表示画面に表示させることを特徴とする請求項１ないし４のいずれかに記載の金銭処理機。
【請求項６】
前記表示制御手段は、前記案内画像において、前記各収容部に収容されている金銭の枚数を示す数値を当該収容部の位置を示す画像と対応する位置に表示させることを特徴とする請求項５に記載の金銭処理機。
【発明の詳細な説明】
【技術分野】
【０００１】
本発明は、金銭挿入口から挿入された金銭を内部に収容し、または内部に収容された金銭を金銭排出口から排出することによって物品の販売またはサービス料金の精算に係る金銭の受け渡しを自動的に行う、例えば、駐車料金精算機、自動販売機等の金銭処理機に関する。
【背景技術】
【０００２】
有料の駐車場で使用される駐車料金精算機等では、車両が出庫しない間に料金回収やつり銭補充を行うことが必要であり、それらの管理作業がどのような係員においても円滑に実施されることが望まれる。また、金銭を回収したり補充したりする管理作業を狙っての犯罪を未然に防ぐためにも、防犯上の配慮が十分なされていて、扉をこじ開けただけでは容易に金庫などが持ち出せないように構成されている必要がある。さらには、係員による不正をも防止して管理できるようなシステムが望ましいが、特にネットワーク化されていない駐車料金精算機では、管理センターで監視するような対策が実施できず、金銭回収や補充の係員の報告を信用するしかないのが現状であった。
【０００３】
この点、例えば特許文献１には、売上金の入金額や、釣銭の支払額とその補充金額等からなる入出金額情報を、係員等による入力作業を行うことなく、自動的にかつ正確に集計できるように工夫した自動料金精算機を提供するため、売上金の支払いによる入金と、釣銭の支払いによる出金を、その都度メモリに記憶させて紙幣と硬貨の各金庫、並びに、つり銭用の各金庫の収納金額を記録し、これら各金庫が引抜かれると各金庫の収納金額を呼出して出力する技術が開示されている。
【０００４】
また、例えば特許文献２では、売上金やつり銭等の現金を入れた金庫が収められている装置本体の扉を開けなくても、また、管理上不都合な鍵等を使用しなくても、各種のメンテナンス処理を安全に、かつ、簡単に行うことができると共に、各メンテナンス処理ごとに、予めその操作を許された特定の係員や管理者だけが操作できるように規制することを可能にした自動料金精算機に言及しており、具体的には外部から操作困難な装置本体の内部、または、装置本体とは別の所に、各種メンテナンス処理を可能にするためのメンテナンス許可情報を入力設定するメンテナンス入力装置を設け、装置本体の外側部には、許可されたメンテナンス処理の内容を案内表示する表示器と、表示器の案内表示に従ってメンテナンス処理を入力操作できる外部入力装置としてのタッチプレート式入力部を設けた技術が開示されている。
【先行技術文献】
【特許文献】
【０００５】
【特許文献１】特開２００１−３０７１７９号公報
【特許文献２】特開２００５−４４１５１号公報
【発明の概要】
【発明が解決しようとする課題】
【０００６】
ところで、駐車料金精算機の筐体内には、利用者から支払われた駐車料金としての金銭（硬貨および紙幣）を保管するために当該金銭を収容する金銭収容装置（例えば金庫）や、つり銭として用いる金銭を収容する金銭収容装置（例えばコインホッパー、硬貨払出装置）等、複数の金銭収容装置が設けられている。しかも、これらの金銭収容装置はそれぞれ、硬貨用の金銭収容装置と紙幣用の金銭収容装置とに分かれている。筐体内におけるこれら複数の金銭収容装置の配置は、駐車料金精算機の型式によって、あるいは、同じ型式であっても設置する駐車場の状況に合わせた設定によって異なる。
【０００７】
また、つり銭として用いる硬貨を収容する金銭収容装置は、複数の収容部を有し、これら複数の収容部に複数種類の硬貨（１０円、５０円、１００円、５００円）を当該種類ごとに分けて収容する構造となっている。このような金銭収容装置においては、収容すべき金銭の種類、収容部の個数、収容部の配置等が駐車料金精算機の型式や設定によって異なる。例えば、駐車料金が１００円単位で設定されている駐車場に設定された駐車料金精算機では、１０円硬貨を取り扱う必要がないので、当該駐車料金精算機に設けられた金銭収容装置には、１０円を収容すべき収容部がない。また、紙幣についても、１０００円紙幣、２０００円紙幣、５０００円紙幣および１００００円紙幣を扱う場合に限らず、１０００円紙幣だけを扱う場合等もあり、扱う紙幣の種類によって、紙幣用の金銭収容装置の構造が異なる。
【０００８】
このように、各金銭収容装置の配置や構造、収容すべき金銭の種類等は、駐車料金精算機の型式や設定、あるいは駐車場によって異なる。このため、駐車場を巡回して料金回収やつり銭補充等の管理作業を行う駐車場係員や代行管理会社の係員は、個々の駐車場に訪れて管理作業を行う度に、その駐車場に設置されている駐車料金精算機における各金銭収容装置の配置や構造、収容すべき金銭の種類等を把握しなければならない。この結果、管理作業を円滑に行うことが難しいという問題がある。
【０００９】
例えば、予備知識のないまま個々の駐車場に出向き、駐車料金精算機の扉を開けて内部を確認し、金銭補充をすべき金銭収容装置を探し、補充する金銭の種類を確認するなどといった作業を行っていたのでは、作業時間が長くなり、出庫車両を待たせることになったり、犯罪を企てる者に駐車料金精算機の内部を観察する機会を与えることとなってしまう。
【００１０】
以上の問題は、駐車料金精算機に限らず、他のサービスの料金の精算を自動的に行う料金精算機、物品の販売を自動的に行う自動販売機等といった他の金銭処理機においても生じ得る。
【００１１】
本発明は例えば上述したような問題に鑑みされたものであり、本発明の課題は、各金銭収容装置の配置や構造または収容すべき金銭の種類等が異なっても、管理者等が管理作業を円滑に行うことができる金銭処理機を提供することにある。
【課題を解決するための手段】
【００１２】
上記課題を解決するために、本発明の第１の金銭処理機は、金銭挿入口から挿入された金銭を内部に収容し、または内部に収容された金銭を金銭排出口から排出することによって物品の販売またはサービス料金の精算に係る金銭の受け渡しを自動的に行う金銭処理機であって、前記金銭挿入口および前記金銭排出口を備えた筐体と、前記筐体内の所定の位置にそれぞれ配置され、前記金銭をそれぞれ収容する複数の金銭収容装置と、表示画面を有する表示装置と、画像を生成し、当該画像を前記表示装置の表示画面に表示させる表示制御手段と、一般利用者との間で物品の販売またはサービス料金の精算に係る金銭の受け渡しを行うための一般利用モードと、管理者が管理作業を行うための管理モードとを切り換えるモード切換手段とを備え、前記表示制御手段は、前記管理モード時に、前記筐体内における前記複数の金銭収容装置間の相対的な位置関係を示す案内画像を生成し、当該案内画像を前記表示装置の表示画面に表示させることを特徴とする。
【００１３】
上述した本発明の第１の金銭処理機によれば、管理者等は、料金回収、つり銭補充、メンテナンス等の管理作業を行う際に、表示画面を見ることにより、当該金銭処理機の筐体内における複数の金銭収容装置の位置を知ることができる。したがって、管理者等は、筐体内における金銭収容装置の配置が金銭処理機の型式や設定等によって異なる場合でも、管理作業を行うべき金銭収容装置を容易にかつ確実に特定することができ、管理作業を円滑に行うことができる。
【００１４】
上記課題を解決するために、本発明の第２の金銭処理機は、上述した本発明の第１の金銭処理機において、前記複数の金銭収容装置のうちの少なくとも１つは、複数種類の金銭を当該種類ごとに分けて収容する複数の収容部を有し、前記表示制御手段は、前記各収容部に収容される金銭の種類および前記複数の収容部間の相対的な位置関係を示す案内画像を生成し、当該案内画像を前記表示装置の表示画面に表示させることを特徴とする。
【００１５】
上述した本発明の第２の金銭処理機によれば、管理者等は、管理作業を行う際に、表示画面を見ることにより、金銭収容装置が有する複数の収容部のうち、どの収容部にどの種類の金銭を収容すべきかを知ることができる。したがって、管理者等は、金銭収容装置が有する複数の収容部の個数や、複数の収容部にそれぞれ収容すべき金銭の種類が金銭処理機の型式や設定等によって異なる場合でも、収容部に収容すべき金銭の種類を間違えるといったミス等を減らすことができる。
【００１６】
上記課題を解決するために、本発明の第３の金銭処理機は、上述した本発明の第１または第２の金銭処理機において、前記筐体は、閉時に当該筐体の内部と外部との間を遮断し、開時に当該筐体の内部と外部との間を連通させる複数の扉を有し、前記表示制御手段は、前記複数の扉のうちの一の扉が開き他の扉が閉じているときに、前記案内画像において、前記複数の金銭収容装置のうち、前記一の扉が開いた状態で操作することができる位置に配置されている金銭収容装置の位置を示す画像と、他の金銭収容装置の位置を示す画像との表示態様を相互に異ならせることを特徴とする。
【００１７】
上述した本発明の第３の金銭処理機によれば、管理者等は、管理作業を行う際に、表示画面を見ることにより、複数の金銭収容装置のうち、一の扉を開いた状態で操作することができる金銭収容装置を知ることができる。したがって、管理者等は、管理作業を行うべき金銭収容装置を探すために、異なる扉の開け閉めを何度も繰り返したり、全ての扉を開けたりすることがなくなるので、管理作業を円滑に行うことができる。
【００１８】
上記課題を解決するために、本発明の第４の金銭処理機は、上述した本発明の第３の金銭処理機において、前記表示制御手段は、前記複数の扉のうちの一の扉が開き他の扉が閉じているときに、前記案内画像において、前記複数の金銭収容装置のうち、前記一の扉が開いた状態で操作することができる位置に配置されている金銭収容装置の位置を示す画像と、他の金銭収容装置の位置を示す画像との鮮明さ、色合いまたは色の明度を相互に異ならせることを特徴とする。
【００１９】
上述した本発明の第４の金銭処理機によれば、管理者等は、管理作業を行う際に、表示画面を見ることにより、複数の金銭収容装置のうち、一の扉を開いた状態で操作することができる金銭収容装置を容易かつ確実に知ることができる。
【００２０】
上記課題を解決するために、本発明の第５の金銭処理機は、上述した本発明の第１ないし第４のいずれかの金銭処理機において、前記複数の金銭収容装置のうちの少なくとも１つは、閉時に当該金銭収容装置の内部と外部との間を遮断し、開時に当該金銭収容装置の内部と外部との間を連通させる扉を有する扉付き金銭収容装置であり、前記表示制御手段は、前記扉付き金銭収容装置の扉が閉じているときと開いているときとで、前記案内画像において当該扉付き金銭収容装置の位置を示す画像の表示態様を変化させることを特徴とする。
【００２１】
上述した本発明の第５の金銭処理機によれば、管理者等は、管理作業を行う際に、表示画面を見ることにより、扉付き金銭収容装置の扉の開閉状態を知ることができる。したがって、管理者等は、管理作業を行うべき扉付き金銭収容装置の扉の開閉状態を知ることによって、当該管理作業を行うべき扉付き金銭収容装置を容易に特定することができ、管理作業を円滑に行うことができる。
【００２２】
上記課題を解決するために、本発明の第６の金銭処理機は、上述した本発明の第５の金銭処理機において、前記表示制御手段は、前記扉付き金銭収容装置の扉が閉じているときと開いているときとで、前記案内画像において当該扉付き金銭収容装置の位置を示す画像の鮮明さ、色合いまたは色の明度を変化させることを特徴とする。
【００２３】
上述した本発明の第６の金銭処理機によれば、管理者等は、管理作業を行う際に、表示画面を見ることにより、扉付き金銭収容装置の扉の開閉状態を容易かつ確実に知ることができる。
【００２４】
上記課題を解決するために、本発明の第７の金銭処理機は、上述した本発明の第２の金銭処理機において、前記表示制御手段は、前記案内画像において、前記各収容部に収容されている金銭の枚数を示す数値を当該収容部の位置を示す画像と対応する位置に表示させることを特徴とする。
【００２５】
上述した本発明の第７の金銭処理機によれば、管理者等は、金銭収容装置の各収容部に収容されている金銭の枚数を、収容部ごとに容易かつ正確に知ることができる。
【発明の効果】
【００２６】
本発明によれば、金銭処理機内に設けられた各金銭収容装置の配置や構造または収容すべき金銭の種類等が金銭処理機ごとに異なっても、管理者等は、料金回収、つり銭補充、メンテナンス等といった金銭処理機に係る管理作業を円滑に行うことができる。
【図面の簡単な説明】
【００２７】
【図１】本発明の第１の実施形態による駐車料金精算機を示す斜視図である。
【図２】横扉が開いた状態の本発明の第１の実施形態による駐車料金精算機を示す斜視図である。
【図３】横扉および前扉が開いた状態の本発明の第１の実施形態による駐車料金精算機を示す斜視図である。
【図４】本発明の第１の実施形態による駐車料金精算機の筐体内におけるコインホッパー、硬貨払出装置、硬貨金庫、紙幣払出装置、紙幣金庫等間の相対的な位置関係を示す説明図である。
【図５】本発明の第１の実施形態による駐車料金精算機の電気的構成を示すブロック図である。
【図６】本発明の第１の実施形態による駐車料金精算機の表示画面に表示された案内画像を示す説明図である。
【図７】横扉および前扉が開いた状態の本発明の第２の実施形態による駐車料金精算機を示す斜視図である。
【図８】本発明の第２の実施形態による駐車料金精算機の表示画面に表示された案内画像を示す説明図である。
【図９】横扉が開いたときの本発明の第２の実施形態による駐車料金精算機の表示画面に表示された案内画像を示す説明図である。
【発明を実施するための形態】
【００２８】
以下、本発明の実施の形態について添付図面を参照しながら説明する。
【００２９】
（第１の実施形態）
図１は本発明の第１の実施形態による駐車料金精算機を示し、図２は当該駐車料金精算機の横扉が開いた状態を示し、図３は当該駐車料金精算機の横扉および前扉が開いた状態を示す。図１において、駐車料金精算機１は、本発明の金銭処理機の第１の実施形態である。すなわち、駐車料金精算機１は、硬貨投入口２３または紙幣挿入口２４から挿入された金銭を内部に収容し、または内部に収容された金銭を紙幣払出口２５またはつり銭／領収証取出口２６に排出することによって駐車料金の精算に係る金銭の受け渡しを自動的に行う金銭処理機である。一般に駐車料金精算機には、車両の退場に際して料金の決済を行う出口精算機、駐車場内や近隣に設置されて事前の料金精算を行う事前精算機等があるが、駐車料金精算機１は例えば出口精算機である。駐車料金精算機１は、駐車場の出口近傍の車路２の傍らに設置されている。駐車料金精算機１は、車路２に埋設された１対のループコイルおよび出口精算機の近傍に設置された出口ゲート開閉機と埋設配線を介して電気的に接続されており、駐車料金の精算を行うと共に、出口ゲート開閉機のゲートバーの開閉制御を行う。
【００３０】
駐車料金精算機１は筐体１１を有している。筐体１１において、車路２に対向する前面部には前扉１２が設けられている。前扉１２は図３に示すように筐体１１の前方向に開閉するように筐体１１に取り付けられている。前扉１２は、閉時に筐体１１の前面部において筐体１１の内部と外部との間を遮断し、開時に筐体１１の前面部において筐体１１の内部と外部との間を連通させる。前扉１２の開時には筐体１１の前面部には前面開口部１６が形成される。また、筐体１１の側面部（本実施形態では左面部だが、右面部でもよい）には横扉１３が設けられている。横扉１３は筐体１１の横方向に開閉するように筐体１１に取り付けられている。横扉１３は、閉時に筐体１１の側面部において筐体１１の内部と外部との間を遮断し、開時に筐体１１の側面部において筐体１１の内部と外部との間を連通させる。横扉１３の開時には筐体１１の側面部には側面開口部１７が形成される。横扉１３には錠ハンドル１４が設けられている。前扉１２および横扉１３は、一般利用時にはいずれも施錠されており開くことができないが、管理作業時には管理者等が合鍵を用いて解錠することにより開くことができる。
【００３１】
前扉１２の上部の裏側には表示装置２１が取り付けられている。表示装置２１は表示画面２１Ａを有している。表示画面２１Ａは、前扉１２に形成された表示開口部１２Ａを介して前扉１２の表側から視認可能に配置されている。また、前扉１２において、表示装置２１の下側には、精算時に駐車券を挿入する駐車券挿入口２２、精算時に硬貨を投入する金銭挿入口としての硬貨投入口２３、精算時に紙幣を挿入する金銭挿入口としての紙幣挿入口２４、精算時につり札を排出する金銭排出口としての紙幣払出口２５、および精算時につり銭および領収証を排出する金銭排出口としてのつり銭／領収証取出口２６が設けられている。さらに、前扉１２には、取消釦２７、領収証発行釦２８、スピーカ２９およびインターホン３０が設けられている。
【００３２】
図２に示すように、駐車料金精算機１の横扉１３の裏側には、横扉１３を開いたときに横扉１３の裏側から視認可能な表示画面および設定用のキーが設けられた設定装置４１が取り付けられている。また、図３に示すように、筐体１１内には、コインホッパー４２、硬貨払出装置４４、硬貨金庫４５、紙幣払出装置４７および紙幣金庫４８が設けられている。コインホッパー４２、硬貨払出装置４４、硬貨金庫４５、紙幣払出装置４７および紙幣金庫４８はそれぞれ、金銭を収容する金銭収容装置である。
【００３３】
コインホッパー４２には、つり銭として用いるための硬貨を収容する。コインホッパー４２は、例えば２種類の金銭（１０円硬貨および１００円硬貨）を当該種類ごとに分けて収容する２つの収容部４２Ａ、４２Ｂを有している（図４参照）。また、コインホッパー４２は強固なケーシングに収容されており、当該ケーシングに設けられた扉４３を開けなければ収容部４２Ａ、４２Ｂに触れることができない。さらに、扉４３には鍵部（図示せず）が設けられている。当該鍵部により扉４３は横扉１３を開けただけでは施錠されていて開けることができないが、管理作業時に管理者等が合鍵を用いて鍵部を解錠し、扉４３を開けることができる。一方、硬貨払出装置４４には、硬貨投入口２３から投入された硬貨を種類ごとに分けて収容する。硬貨払出装置４４に収容された硬貨もつり銭として用いることができる。硬貨払出装置４４は、例えば４種類の金銭（１０円硬貨、５０円硬貨、１００円硬貨、および５００円硬貨）を当該種類ごとに分けて収容する４つの収容部４４Ａ、４４Ｂ、４４Ｃ、４４Ｄを有している（図４参照）。さらに、硬貨払出装置４４は、予備用の１００円硬貨を収容する収容部４４Ｅを有している。なお、硬貨投入口２３と硬貨払出装置４４の間には硬貨選別機５６（図５参照）が備えられている。他方、硬貨金庫４５には、硬貨払出装置４４が満杯になったときに、硬貨払出装置４４に収容された硬貨の一部を入れて保管する。硬貨金庫４５には、硬貨払出装置４４に収容されるすべての種類の硬貨を保管することができる。また、硬貨金庫４５は、コインホッパー４２とほぼ同様に、鍵部（図示せず）が設けられた扉４６を有する強固なケーシングに収容されている。また、紙幣払出装置４７には、つり札として用いるための紙幣（例えば１０００円紙幣のみ）を収容する。紙幣金庫４８には、紙幣挿入口２４から挿入された紙幣を保管する。この紙幣には、例えば１０００円紙幣、２０００円紙幣、５０００円紙幣、１００００紙幣がある。紙幣金庫４８もコインホッパー４２や硬貨金庫４５とほぼ同様に、鍵部が設けられた扉（いずれも図示せず）を有する強固なケーシングに収容されている。なお、紙幣挿入口２４と紙幣金庫４８の間には紙幣選別機５７（図５参照）が備えられている。
【００３４】
図４は、硬貨投入口２３、紙幣挿入口２４、紙幣払出口２５、コインホッパー４２、硬貨払出装置４４、硬貨金庫４５、紙幣払出装置４７および紙幣金庫４８間の相対的な位置関係を示している。図４では、横扉１３が開いた状態の側面部（左面部）の正面に立って筐体１１の内部を見た図（図４中の左側）と、前扉１２が開いた状態の前面部の正面に立って筐体１１の内部を見た図（図４中の右側）とを並べて示している。図４に示すように、コインホッパー４２、硬貨払出装置４４および硬貨金庫４５は、横扉１３が開いた状態で操作することができる位置に配置されている。すなわち、コインホッパー４２は筐体１１の上部に配置され、コインホッパー４２を収容するケーシングの扉４３は筐体１１の側面開口部１７近傍に配置され、横方向に開閉する。管理者等は、横扉１３を開けて、側面開口部１７から手を差し入れ、扉４３を解錠して扉４３を開き、コインホッパー４２内の収容部４２Ａおよび４２Ｂを点検することができ、または収容部４２Ａおよび４２Ｂから硬貨を回収することができる。一方、硬貨払出装置４４は筐体１１の中間部に配置されている。管理者等は、横扉１３を開けて、側面開口部１７から手を差し入れ、硬貨払出装置４４内の収容部４４Ａないし４４Ｅを点検することができる。他方、硬貨金庫４５は筐体１１の下部に配置され、硬貨金庫４５を収容するケーシングの扉４６は筐体１１の側面開口部１７近傍に配置され、横方向に開閉する。管理者等は、横扉１３を開けて、側面開口部１７から手を差し入れ、扉４６を解錠して扉４６を開き、硬貨金庫４５に保管された硬貨を回収することができる。
【００３５】
一方、図４に示すように、紙幣払出装置４７および紙幣金庫４８は、前扉１２が開いた状態で操作することができる位置に配置されている。すなわち、紙幣払出装置４７は筐体１１の中間部に配置されている。管理者等は、前扉１２を開けて、前面開口部１６から手を差し入れ、紙幣払出装置４７の点検を行うことができる。一方、紙幣金庫４８は筐体１１の中間部であって紙幣払出装置４７よりも奥側に配置され、紙幣金庫４８を収容するケーシングの扉は筐体１１の前面開口部１６近傍に配置されている。管理者等は、前扉１２を開けて、前面開口部１６から手を差し入れ、紙幣金庫４８を収容するケーシングの扉を解錠して当該扉を開き、紙幣金庫４８に保管された紙幣を回収することができる。また、硬貨投入口２３、紙幣挿入口２４および紙幣払出口２５は、筐体１１の前面部の上部に配置されている。
【００３６】
図４を全体的に見ると、筐体１１の、連続的に連なる側面部と前面部とを合わせた領域において、紙幣払出口２５は右上側に配置され、硬貨投入口２３は中央上側に配置され、コインホッパー４２は左上側に配置され、硬貨払出装置４４は中央部に配置され、硬貨金庫４５は左下側に配置され、紙幣払出装置４７は右手前側に配置され、紙幣金庫４８は右奥側に配置されている。
【００３７】
図５は駐車料金精算機１の電気的構成を示している。図５に示すように、駐車料金精算機１は、ＣＰＵ（Ｃｅｎｔｒａｌ  Ｐｒｏｃｅｓｓｉｎｇ  Ｕｎｉｔ）５１およびメモリ５２を有している。ＣＰＵ５１およびメモリ５２は相互にバス５３を介して接続されていると共に、バス５３を介してインターフェース５４に接続されている。インターフェース５４には、上述した表示装置２１、取消釦２７、領収証発行釦２８、スピーカ２９、インターホン３０、設定装置４１、硬貨払出装置４４（収容部４４Ａないし４４Ｅ）および紙幣払出装置４７が接続されている。さらに、インターフェース５４には、カードリーダ／ライタ５５、硬貨選別機５６、紙幣選別機５７、車両センサ５８、ゲート開閉機制御部５９、領収証プリンタ６０、前扉センサ６１、横扉センサ６２、通信制御部６３、ホッパー扉センサ６５、硬貨金庫扉センサ６６および紙幣金庫扉センサ６７が接続されている。ＣＰＵ５１は、メモリ５２に記憶されたコンピュータプログラムを読み取ってこれを実行することにより、インタ−フェース５４に接続された各部品および各装置を制御することができる。また、ＣＰＵ５１は、後述するように駐車料金精算機１の動作モードを一般利用モードと管理モードとの間で切り換える処理を行う。また、ＣＰＵ５１は、表示装置２１の表示画面２１Ａに表示するための画像を生成し、この画像を表示画面２１Ａに表示させる処理を行う。なお、ＣＰＵ５１は、モード切換手段および表示制御手段の具体例である。
【００３８】
車両センサ５８は、車路２に埋設された一対のループコイルに埋設配線を介して接続され、駐車料金精算機１の前に車両が来たことを検出するセンサである。ＣＰＵ５１は、車両センサ５８の検出結果に基づいて、精算処理を開始するタイミングや、ゲートバーを開閉するタイミングを決める。ゲート開閉機制御部５９は出口ゲート開閉機に埋設配線を介して接続されている。通信制御部６３は専用通信回線（例えばＬＡＮ（Ｌｏｃａｌ  Ａｒｅａ  Ｎｅｔｗｏｒｋ））に接続されている。インターホン３０は外部通信線に接続されている。
【００３９】
前扉センサ６１は、例えば筐体１１の前面開口部１６近傍に取り付けられ、前扉１２の開閉（開いているか閉じているか）を検出するセンサである。横扉センサ６２は、例えば筐体１１の側面開口部１７近傍に取り付けられ、横扉１３の開閉を検出するセンサである。ホッパー扉センサ６５は、例えばコインホッパー４２を収容するケーシングの扉４３近傍に取り付けられ、扉４３の開閉を検出するセンサである。硬貨金庫扉センサ６６は、例えば硬貨金庫４５を収容するケーシングの扉４６近傍に取り付けられ、扉４６の開閉を検出するセンサである。紙幣金庫扉センサ６７は、例えば紙幣金庫４８を収容するケーシングの扉近傍に取り付けられ、当該扉の開閉を検出するセンサである。
【００４０】
ここで、駐車料金精算機１は、駐車場利用者に対して駐車料金の精算に係る金銭の受け渡しを行うための一般利用モードと、管理者が、料金回収、つり銭補充、メンテナンス等の管理作業を行うための管理モードとを切り換えるモード切換機能を備えている。管理者等により駐車券挿入口２２に管理カードが挿入されると、カードリーダ／ライタ５５が管理カードに記録された管理作業許可情報（メンテナンス特定コード）を読み取る。ＣＰＵ５１は、カードリーダ／ライタ５５により読み取られた管理作業許可情報を認識し、適正な管理作業許可情報である場合に限り、駐車料金精算機１の動作モードを一般利用モードから管理モードに切り換える。
【００４１】
また、管理モードにもいくつか種類がある。すなわち、管理作業には、料金回収、つり銭補充、売上高集計、つり銭残高照会、その他のメンテナンス等がある。これらの作業のうち、料金回収および売上高集計は、特別な権限を有する管理者だけが行うことのできる作業である。一方、つり銭残高照会およびつり銭補充は、通常の権限を有する管理者等が行うことができる作業である。特別な権限を有する管理者は、すべての管理作業を許可するための管理作業許可情報が記録された特別な管理カードを持っている。この管理カードが駐車券挿入口２２に挿入されると、駐車料金精算機１は特別な管理モードとなる。この特別な管理モードでは、管理者は、すべての管理作業を行うことができる。一方、通常の権限を有する管理者は、つり銭残高照会およびつり銭補充だけを許可するための管理作業許可情報が記録された通常の管理カードを持っている。この管理カードが駐車券挿入口２２に挿入されると、駐車料金精算機１は通常の管理モードとなる。この通常の管理モードでは、つり銭残高照会およびつり銭補充を行うことができる。また、その他のメンテナンスを許可するための管理作業許可情報が記録された管理カードもあり、この管理カードが駐車券挿入口２２に挿入されると、駐車料金精算機１はその他のメンテナンスのみを許可するメンテナンス管理モードとなる。
【００４２】
駐車料金精算機１が管理モードに切り換えられると、硬貨投入口２３は、つり銭補充のために硬貨を投入する投入口として機能する。また、紙幣払出口２５は、つり札補充のために紙幣を挿入する挿入口として機能する。また、つり銭／領収証取出口２６は、イベントリ処理において、硬貨払出装置４４等に収容された硬貨を排出する排出口として機能する。
【００４３】
図６は、駐車料金精算機１の表示画面２１Ａに表示された管理作業の案内画像を示している。駐車料金精算機１が一般利用モードのときには、表示装置２１の表示画面２１Ａには、年月日、時刻、営業中である旨のメッセージ等が表示されている。そして、精算時には、駐車券の挿入、駐車料金の額、硬貨の投入、紙幣の挿入、つり銭の排出等を案内する画像が表示画面２１Ａに表示される。一方、駐車料金精算機１が管理モード（具体的には上記特別な管理モードまたは通常の管理モード）のときには、表示画面２１Ａには、図６に示すような、管理作業の案内画像が表示される。このような案内画像等の生成および案内画像等の表示画面２１Ａへの表示制御は、ＣＰＵ５１の制御のもとで行われる。
【００４４】
図６中の管理作業の案内画像において、その上部はメッセージ表示エリア７１が形成されており、メッセージ表示エリア７１には、管理作業に関する様々なメッセージ（例えば「補充する硬貨または紙幣を投入してください」）が表示される。
【００４５】
また、管理作業の案内画像の中間部から下部にかけての領域には、つり銭補充のための硬貨を投入する硬貨投入口２３、つり札補充のための紙幣を挿入する紙幣払出口２５、コインホッパー４２、硬貨払出装置４４、硬貨金庫４５、紙幣払出装置４７および紙幣金庫４８間の相対的な位置関係が示される。具体的には、案内画像の右上側には紙幣挿入アニメーション表示エリア７２が形成され、案内画像の中央上側には硬貨投入アニメーション表示エリア７３が形成され、案内画像の左上側にはコインホッパー状態表示エリア７４が形成される。また、案内画像の右側であって紙幣挿入アニメーション表示エリア７２の下側には紙幣払出装置状態表示エリア７５が形成され、案内画像の右下側には紙幣金庫状態表示エリア７６が形成され、案内画像の中央下側には硬貨払出装置状態表示エリア７７が形成され、案内画像の左下側には硬貨金庫状態表示エリア７８が形成される。
【００４６】
図４と図６とを比較するとわかるとおり、図４に示す紙幣払出口２５、硬貨投入口２３、コインホッパー４２、紙幣払出装置４７、紙幣金庫４８、硬貨払出装置４４および硬貨金庫４５間の相対的な位置関係と、図６に示す紙幣挿入アニメーション表示エリア７２、硬貨投入アニメーション表示エリア７３、コインホッパー状態表示エリア７４、紙幣払出装置状態表示エリア７５、紙幣金庫状態表示エリア７６、硬貨払出装置状態表示エリア７７および硬貨金庫状態表示エリア７８間の相対的な位置関係とは、相互に対応している。すなわち、紙幣払出口２５は筐体１１の側面部と前面部とを合わせた領域において右上側に位置し、紙幣挿入アニメーション表示エリア７２は案内画面において右上側に位置する。また、硬貨投入口２３は筐体１１の側面部と前面部とを合わせた領域において中央上側に位置し、硬貨投入アニメーション表示エリア７３は案内画面において中央上側に位置する。また、コインホッパー４２は筐体１１の側面部と前面部とを合わせた領域において左上側に位置し、コインホッパー状態表示エリア７４は案内画面において左上側に位置する。また、紙幣払出装置４７および紙幣金庫４８は筐体１１の側面部と前面部とを合わせた領域において右側に位置し、紙幣払出装置状態表示エリア７５および紙幣金庫状態表示エリア７６は案内画面において右側に位置する。また、硬貨払出装置４４は筐体１１の側面部と前面部とを合わせた領域において中央部に位置し、硬貨払出装置状態表示エリア７７は案内画面において中央下側に位置する。また、硬貨金庫４５は筐体１１の側面部と前面部とを合わせた領域において左下側に位置し、硬貨金庫状態表示エリア７８は案内画面において左下側に位置する。
【００４７】
また、図６に示す管理作業の案内画面において、紙幣挿入アニメーション表示エリア７２には、紙幣払出口２５に紙幣が実際に挿入されたときに、紙幣払出口２５内へ紙幣が取り込まれていく状態を示すアニメーション（動画）７２Ａが表示され、紙幣払出口２５の上側に設けられた表示ランプが点滅している状態を示す動画７２Ｂが表示される。
【００４８】
硬貨投入アニメーション表示エリア７３には、硬貨投入口２３に硬貨が実際に挿入されたときに、硬貨投入口２３内へ硬貨が取り込まれていく状態を示すアニメーション（動画）７３Ａが表示され、硬貨投入口２３の上側に設けられた表示ランプが点滅している状態を示す動画７３Ｂが表示される。
【００４９】
コインホッパー状態表示エリア７４には、１０円硬貨の収容部４２Ａを示す画像７４Ａおよび１００円硬貨の収容部４２Ｂを示す画像７４Ｂが表示される。画像７４Ａ、７４Ｂは、各収容部４２Ａ、４２Ｂに収容される硬貨の種類および収容部４２Ａ、４２Ｂ間の相対的な位置関係を示している。また、コインホッパー状態表示エリア７４には、現時点において各収容部４２Ａ、４２Ｂに収容されている硬貨の枚数を硬貨の種類ごとに示す数値７４Ｃ（１０円硬貨収容数：３００枚、１００円硬貨収容数：２００枚）が当該収容部４２Ａ、４２Ｂの位置関係を示す画像７４Ａ、７４Ｂと対応する位置に表示される。
【００５０】
紙幣払出装置状態表示エリア７５には、当該管理作業が開始されてから現時点までに紙幣払出装置４４に補充された１０００円紙幣の枚数を示す数値７５Ａ（１０００円紙幣補充数：３０枚）、および現時点において紙幣払出装置４４に収容されている１０００円紙幣の枚数を示す数値７５Ｂ（１０００円紙幣収容数：９５枚）が表示される。
【００５１】
紙幣金庫状態表示エリア７６には、現時点において紙幣金庫４８に保管されている紙幣の枚数を紙幣の種類ごとに示す数値７６Ａ（１０００円紙幣保管数：３０枚、２０００円紙幣保管数：５０枚、５０００円紙幣保管数：２０枚、１００００円紙幣保管数：１０枚）が表示される。
【００５２】
硬貨払出装置状態表示エリア７７には、１０円硬貨の収容部４４Ａを示す画像７７Ａ、５０円硬貨の収容部４４Ｂを示す画像７７Ｂ、１００円硬貨の収容部４４Ｃを示す画像７７Ｃ、５００円硬貨の収容部４４Ｄを示す画像７７Ｄ、および予備の１００円硬貨の収容部４４Ｅを示す画像７７Ｅが表示される。画像７７Ａないし７７Ｅは、各収容部４４Ａないし４４Ｅに収容される硬貨の種類および収容部４４Ａないし４４Ｅ間の相対的な位置関係を示している。また、硬貨払出装置状態表示エリア７７には、当該管理作業が開始されてから現時点までに各収容部４４Ａないし４４Ｅに補充された硬貨の枚数を硬貨の種類ごとに示す数値７７Ｆ（１０円硬貨補充数：６０枚、５０円硬貨補充数：１５枚、１００円硬貨補充数：２２枚、５００円硬貨補充数：２０枚、予備の１００円硬貨補充数：０枚）が、当該収容部４４Ａないし４４Ｅの位置関係を示す画像７７Ａないし７７Ｅと対応する位置に表示される。さらに、硬貨払出装置状態表示エリア７７には、現時点において各収容部４４Ａないし４４Ｅに収容されている硬貨の枚数を硬貨の種類ごとに示す数値７７Ｇ（１０円硬貨収容数：７５枚、５０円硬貨収容数：５４枚、１００円硬貨収容数：６５枚、５００円硬貨収容数：５６枚、予備の１００円硬貨収容数：４８枚）が、当該収容部４４Ａないし４４Ｅの位置関係を示す画像７７Ａないし７７Ｅと対応する位置に表示される。
【００５３】
硬貨金庫状態表示エリア７８には、現時点において硬貨金庫４５に保管されている硬貨の枚数を硬貨の種類ごとに示す数値７８Ａ（１０円硬貨保管数：５０枚、５０円硬貨保管数：２０枚、１００円硬貨保管数：１２０枚、５００円硬貨保管数：８０枚）が表示される。
【００５４】
なお、管理モードにおいては図３及び図６等で示した紙幣払出口２５から紙幣を補充する例を説明したが、これは紙幣払出装置４７と紙幣選別機５７及び紙幣金庫４８とが分割されている紙幣ユニットを採用した例である。紙幣払出装置４７、紙幣選別機５７、紙幣金庫４８が三位一体となり、紙幣挿入口２４から挿入した１０００円紙幣がつり紙幣としての払出しに循環利用される循環式紙幣ユニットを採用した場合には、図６で示した紙幣払出口２５は紙幣挿入口２４に置き換えて表示するように設定される。
【００５５】
以上、説明したとおり、料金回収、つり銭補充等の管理作業を行う管理者等は、管理作業前や管理作業中に、表示画面２１Ａに表示される管理作業の案内画面を見ることにより、筐体１１内おけるコインホッパー４２、紙幣払出装置４７、紙幣金庫４８、硬貨払出装置４４および硬貨金庫４５間の相対的な位置関係を知ることができる。また、管理者等は、管理作業の案内画面を見ることにより、コインホッパー４２の収容部４２Ａ、４２Ｂ間の相対的な位置関係を知ることができる。また、管理者等は、管理作業の案内画面を見ることにより、硬貨払出装置４４の収容部４４Ａないし４４Ｅ間の相対的な位置関係を知ることができる。また、管理者等は、管理作業の案内画面を見ることにより、コインホッパー４２が取り扱う硬貨の種類、コインホッパー４２の各収容部４２Ａ、４２Ｂに収容されている硬貨の枚数、紙幣払出装置４７に補充した紙幣の枚数、紙幣払出装置４７に収容されている紙幣の枚数、硬貨払出装置４４が取り扱う硬貨の種類、硬貨払出装置４４の各収容部４４Ａないし４４Ｅに補充した硬貨の枚数、硬貨払出装置４４の各収容部４４Ａないし４４Ｅに収容されている硬貨の枚数、硬貨金庫４５に保管されている硬貨の枚数、および紙幣金庫４８に保管されている紙幣の枚数等を容易に確認することができる。
【００５６】
管理者等は、管理作業の案内画面を見て、コインホッパー４２、硬貨払出装置４４、または硬貨金庫４５に収容・保管されている硬貨の枚数や、硬貨払出装置４４に補充した硬貨の枚数、あるいは紙幣払出装置４７または紙幣金庫４８に収容・保管されている紙幣の枚数や、紙幣払出装置４８に補充した紙幣の枚数等を確認しているうちに、自然に、コインホッパー４２、硬貨払出装置４４、硬貨金庫４５、紙幣払出装置４７および紙幣金庫４８間の相対的な位置関係を記憶してしまう。そして、管理者等は、コインホッパー４２、硬貨払出装置４４、硬貨金庫４５、紙幣払出装置４７または紙幣金庫４８の筐体１１内における位置を、前扉１２や横扉１３を開ける前から概ね記憶してしまうので、補充硬貨が詰まったなどの異常事態が発生したときには、前扉１２および横扉１３のうちのいずれか一方の適切な扉を開け、コインホッパー４２、硬貨払出装置４４、硬貨金庫４５、紙幣払出装置４７または紙幣金庫４８を素早く見つけ出し、点検等を行うことができる。また、管理者等は、コインホッパー４２、硬貨払出装置４４、硬貨金庫４５、紙幣払出装置４７または紙幣金庫４８を操作・点検する際に、前扉１２と横扉１３とのうちいずれを開くべきかを間違えることなく迅速に決めることができる。さらに、このような駐車料金精算機が複数設置されていて、かつ、各金銭収容装置の配置や構造、収容すべき金銭の種類が、駐車料金精算機ごとに異なる場合でも、前扉１２および横扉１３のいずれも開かずに、筐体１１内の構成の把握が可能となり、柔軟に異常事態に対して対応することが可能となる。また、管理者等は、駐車料金精算機１の内部構造等についての予備知識がなくても、駐車料金精算機１の型式や設定に応じて適切な管理作業を円滑に行うことができる。
【００５７】
（第２の実施形態）
図７は本発明の第２の実施形態による駐車料金精算機を示している。図７において、駐車料金精算機８１は本発明の金銭処理機の第２の実施形態である。駐車料金精算機８１では、表示装置８２の配置およびＣＰＵ５１により生成される管理作業の案内画像が、第１の実施形態による駐車料金精算機１と異なるものの、他の部分は駐車料金精算機１と同じである。
【００５８】
駐車料金精算機８１において、表示装置８２は、筐体１１内に取り付けられている。前扉１２が閉じているときには、表示装置８２の表示画面８２Ａは前扉１２に形成された表示開口部１２Ａを介して筐体１１の前面部表側から視認可能に配置される。また、前扉１２が開いても、表示装置８２の表示画面８２Ａの位置は変わらず、筐体１１の前面部（前面開口部１６内）に配置される。したがって、管理者等は、前扉１２を開けた状態でも、表示画面８２Ａを容易に見ることができる。
【００５９】
図８および図９は、管理モード時に表示画面８２Ａに表示される管理作業の案内画像をそれぞれ示している。図８において、管理作業の案内画像には、各エリア７２ないし７８間（エリア７２と７３との間を除く）を区切る境界線８３が表示されている。これにより、各エリア７４ないし７８を明確に識別できるようになっている。
【００６０】
また、図９に示すように、管理作業の案内画像においては、前扉１２、横扉１３、コインホッパー４２を収容しているケーシングの扉４３、硬貨金庫を収容しているケーシングの扉４６、および紙幣金庫４８を収容しているケーシングの扉の開閉状態に応じて、コインホッパー状態表示エリア７４、紙幣払出機状態表示エリア７５、紙幣金庫状態表示エリア７６、硬貨払出装置状態表示エリア７７、および硬貨金庫状態表示エリア７８の背景色の明度が変化する。すなわち、前扉センサ６１、横扉センサ６２、ホッパー扉センサ６５、硬貨金庫扉センサ６６および紙幣金庫扉センサ６７は、前扉１２、横扉１３、コインホッパー４２を収容しているケーシングの扉４３、硬貨金庫を収容しているケーシングの扉４６、および紙幣金庫４８を収容しているケーシングの扉の開閉状態に応じた検出信号をＣＰＵ５１に出力する。ＣＰＵ５１はこれら検出信号に基づいて、各扉の開閉状態を認識し、各扉の開閉状態に応じて案内画像中の各エリア７４ないし７８の背景色の明度を変化させる。
【００６１】
具体的には、すべての扉が閉じているときには、ＣＰＵ５１は、図８に示すように、案内画像中のエリア７４ないし７８の背景色の明度をすべて最も明るい第１の明度にする。すべての扉が閉じている状態から横扉１３だけが開いたときには、ＣＰＵ５１は、横扉１３が開いただけで直ちに操作することができる金銭収容装置の位置を示すエリアの背景色の明度を第１の明度にし、横扉１３を開き、さらにケーシングの扉を開いたら操作することができる金銭収容装置の位置を示すエリアの背景色の明度を第１の明度よりも暗い第２の明度にし、前扉１２を開かなければ操作することができない金銭収容装置の位置を示すエリアの背景色の明度を第２の明度よりも暗い第３の明度にする。具体的には、すべての扉が閉じている状態から横扉１３だけが開いたときには、ＣＰＵ５１は、図９に示すように、硬貨払出装置４４の位置を示す硬貨払出装置状態表示エリア７７の背景色の明度を上記第１の明度にし、コインホッパー４２および硬貨金庫４５の位置をそれぞれ示すコインホッパー状態表示エリア７４および硬貨金庫状態表示エリア７８の背景色の明度を上記第２の明度（ハッチングにより表示）にし、紙幣払出装置４７および紙幣金庫４８の位置を示す紙幣払出機状態表示エリア７５および紙幣金庫状態表示エリア７６の背景の明度を上記第３の明度（黒く塗りつぶして表示）にする。横扉１３が開き、さらに、コインホッパー４２を収容するケーシングの扉４３が開いたときには、ＣＰＵ５１は、コインホッパー状態表示エリア７４の背景色の明度を上記第１の明度にする。硬貨金庫状態表示エリア７８についても同様である。
【００６２】
また、すべての扉が閉じている状態から前扉１２だけが開いたときには、ＣＰＵ５１は、前扉１２が開いただけで直ちに操作することができる金銭収容装置の位置を示すエリアの背景色の明度を上記第１の明度に設定し、前扉１２を開き、さらにケーシングの扉を開いたら操作することができる金銭収容装置の位置を示すエリアの背景色の明度を上記第２の明度に設定し、横扉１３を開かなければ操作することができない金銭収容装置の位置を示すエリアの背景色の明度を上記第３の明度に設定する。具体的には、すべての扉が閉じている状態から前扉１２だけが開いたときには、ＣＰＵ５１は、紙幣払出装置４７の位置を示す紙幣払出機状態表示エリア７５の背景の明度を上記第１に明度に設定し、紙幣金庫４８の位置を示す紙幣金庫状態表示エリア７６の背景の明度を上記第２の明度に設定し、コインホッパー４２、硬貨払出装置４４および硬貨金庫４５の位置をそれぞれ示すコインホッパー状態表示エリア７４、硬貨払出装置状態表示エリア７７および硬貨金庫状態表示エリア７８の背景色の明度を上記第３の明度に設定する。前扉１２が開き、さらに、紙幣金庫４８を収容するケーシングの扉が開いたときには、ＣＰＵ５１は、紙幣金庫状態表示エリア７６の背景色の明度を上記第１の明度にする。
【００６３】
なお、エリア７４ないし７８の背景色の明度を変化させても、コインホッパー状態表示エリア７４における硬貨の収容数を示す数値、紙幣払出機状態表示エリア７５における紙幣の補充数および収容数を示す数値、紙幣金庫状態表示エリア７６における紙幣の保管数を示す数値、硬貨払出装置状態表示エリア７７における硬貨の補充数および収容数を示す数値、および硬貨金庫状態表示エリア７８における硬貨の保管数を示す数値は、明るい状態で明確に表示する。
【００６４】
このような構成を有する駐車料金精算機８１によっても、上述した第１の実施形態による駐車料金精算機１とほぼ同様の作用効果を得ることができる。さらに、駐車料金精算機８１によれば、管理者等による各扉の開閉操作に応じて、操作可能な金銭収容装置を案内画像において明示することができる。したがって、管理者等は、各扉の開閉状態や、その時点で直ちに操作可能な金銭収容装置、またはその時点で直ちに操作することができない金銭収容装置等を容易に認識することができ、管理作業をより一層円滑に行うことができる。
【００６５】
なお、上述した第２の実施形態では、各扉の開閉状態に応じて、各エリア７４ないし７８の背景色の明度を変化させる場合を例に挙げたが、本発明はこれに限らず、各扉の開閉状態に応じて、各エリア７４ないし７８の表示の鮮明さまたは色合い等を変化させてもよい。
【００６６】
また、本発明の技術内容からはさらに様々な金銭処理機の操作性や視認性を改善する応用技術が想達され、例えば補充する硬貨や紙幣の投入枚数などの状況がすぐに把握できるように、各収納部に「満タン」、「近満タン」などを文字フラッシュするような表示方法を採用することで、連続して硬貨を投入する場合などは、あとどのくらい入れれば良いのかの判断がつき易く、入れすぎてしまって再度回収するといった無駄な作業が発生しにくくなる。また、収納枚数をバーメータ上の表示を兼用することでわりやすくすることも容易である。
【００６７】
また、上述したようにアニメーションや内部状態のリアルタイムな変化で表示した画面状態の推移を、例えば通信制御部６３を介して中央監視装置に送信することで、管理者が係員の金銭処理に掛かる作業の実態を把握でき、作業者によって予想よりも時間長く掛かるとかの何が原因を突き止めることも可能であり、作業者の不正も未然に防止することができる。
【００６８】
また、このような動画による作業内容のデータ送信に際しては、実際に表示した内容の動画データを送信する必要がない。動画データを送信する場合にはネットワークに相当な負荷を与えるとともに、送信中の駐車料金精算機の他の動作が緩慢になる可能性がある。そこで本発明の駐車料金精算機では、表示内容の履歴データを逐次保管し、その履歴データのみ送信すれば、中央の管理装置において容易に表示画面状態を再生（再現）することができる。また、他の精算機や汎用のＰＣにおいても動画再生することも容易に可能であり、データの送受信にはＵＳＢ（Ｕｎｉｖｅｒｓａｌ  Ｓｅｒｉａｌ  Ｂｕｓ）メモリ等を使用することも有効であり、データを容易に持ち運びすることも可能となる。
【００６９】
また、本発明は、駐車料金精算機に限らず、他のサービスの料金の精算を自動的に行う料金精算機、物品の販売を自動的に行う自動販売機等といった他の金銭処理機にも適用することができる。
【００７０】
また、本発明は、請求の範囲および明細書全体から読み取ることのできる発明の要旨または思想に反しない範囲で適宜変更可能であり、そのような変更を伴う金銭処理機もまた本発明の技術思想に含まれる。
【産業上の利用可能性】
【００７１】
本発明は、例えば駐車料金精算機や自動券売機等として利用することができる。
【符号の説明】
【００７２】
１、８１  駐車料金精算機（金銭処理機）
１１  筐体
１２  前扉
１３  横扉
２１、８２  表示装置
２１Ａ、８２Ａ  表示画面
２３  硬貨投入口（金銭挿入口）
２４  紙幣挿入口（金銭挿入口）
２５  紙幣払出口（金銭排出口）
２６  つり銭／領収証取出口（金銭排出口）
４２  コインホッパー
４２Ａ、４２Ｂ  収容部
４３  扉
４４  硬貨払出装置
４４Ａ〜４４Ｅ  収容部
４５  硬貨金庫
４６  扉
４７  紙幣払出装置
４８  紙幣金庫
５１  ＣＰＵ
７４  コインホッパー状態表示エリア
７４Ａ、７４Ｂ  収容部
７５  紙幣払出機状態表示エリア
７６  紙幣金庫状態表示エリア
７７  硬貨払出装置状態表示エリア
７７Ａ〜７７Ｅ  収容部
７８  硬貨金庫状態表示エリア
【図１】
0005647456.tif 000002
【図２】
0005647456.tif 000003
【図３】
0005647456.tif 000004
【図４】
0005647456.tif 000005
【図５】
0005647456.tif 000006
【図６】
0005647456.tif 000007
【図７】
0005647456.tif 000008
【図８】
0005647456.tif 000009
【図９】
0005647456.tif 000010